Podtech/llm-jp-corpus-v4-ja_patent huggingface dataset:
(57)【要約】【課題】杖に、手提げ掛けを装着した杖を提供する。【解決手段】杖の上部に手提げ掛け、ゴム紐掛け、杖掛けからなる上部固定バンドを設け、下部にゴム紐を通す下部固定バンドを設け、上下固定バンドにゴムベルトを通し手提げ袋を挟み保持することを特徴とする手提げ保持具付き杖。【選択図】図３
2013017796.tif 000002
【特許請求の範囲】
【請求項１】
杖の上部に手提げ掛け、ゴム紐掛け、杖掛けからなる上部固定バンドを設け、下部にゴム紐を通す下部固定バンドを設け、上下固定バンドにゴムベルトを通し手提げ袋を挟み保持することを特徴とする手提げ保持具。
【発明の詳細な説明】
【技術分野】
【０００１】本発明は、杖の支柱に設けた上下の固定バンドにより、手提げ袋を保持する杖に関するものである。
【背景技術】
【０００２】従来、杖の支柱に補助具を装着した杖はなかった。
【発明の開示】
【発明が解決しようとする課題】
【０００３】そのために、次のような問題点があった。
（イ）杖、手提げを持つと両手が塞がり不便であった。本発明はこれらの問題点を解決するためになされたものである。
【課題を解決するための手段】
【０００４】杖の上部に手提げ掛け、ゴム紐掛け、杖掛けからなる上部固定バンドを設け、下部にゴム紐を通す下部固定バンドを設け、上下固定バンドにゴムベルトを通し手提げ袋を挟み保持することを特徴とする手提げ保持具付き杖。以上を特徴とする手提げ保持具。
【発明の効果】
【０００５】杖の上下に設けたバンドにゴムベルトを通し、手提げ袋をベルトで挟み保持することにより袋が杖と一体となる。片方の手が自由になり大変便利である。
【発明を実施するための最良の形態】
【０００６】以下、本発明の実施の形態について説明する。
杖の上部に手提げ掛け、ゴム紐掛け、杖掛けからなる上部固定バンドを設け、下部にゴム紐を通す下部固定バンドを設け、上下固定バンドにゴムベルトを通し手提げ袋を挟み保持する。バンドはネジにより固定する。手提げ袋と杖がゴムベルトにより一体となる。又両手を使うときは杖掛けフックをズボンのベルトにさしこむ。
【実施例１】
【０００７】図（３）に示すように、手提げ袋が杖と一体となり保持される。
【図面の簡単な説明】
【０００８】
【図１】本発明の正面図
【図２】本発明の側面図
【図３】本発明の固定バンドに手提げ袋を掛けゴムベルトにより袋を挟み杖と一体となった実施例を示す図
【符号の説明】
【０００９】１  上部固定バンド
２  下部固定バンド
３  手提げ掛け
４  ゴム紐掛け
５  ゴム紐
６  杖掛けフック
７  ゴム紐通し穴
８  固定ネジ
９  杖
【図１】
2013017796.tif 000003
【図２】
2013017796.tif 000004
【図３】
2013017796.tif 000005
(57)【要約】      （修正有）【課題】事務所の机の前におかれて障害物となっていたゴミ箱が、通路の障害とならないようにする。【解決手段】引き出しを開け閉めする時に取っ手の障害にならないように、引き出しの前板に容器を引っ掛けて取り付ける。【選択図】図２
2013017793.tif 000002
【特許請求の範囲】
【請求項１】
机等の引き出しに取り付ける入れ物
【発明の詳細な説明】
【技術分野】
【０００１】本発明は事務所等を快適にするものである。
【背景技術】
【０００２】従来の事務所は通路上及び、引き出しの前にゴミ箱が有り、通行及び、引き出しを開けるのに障害になっていた。又、机上の飲み物で書類を汚す危険があった。
【発明の開示】
【発明が解決しようとする課題】
【０００３】通路上の障害物を無くし、書類を汚す危険を回避できる。
【課題を解決するための手段】
【０００４】引き出しに、ゴミ箱、小物入れ、ドリンクホルダーを取り付ける。
【発明の効果】
【０００５】本発明はデッドスペースを有効活用し、引き出しを開ける時も障害にならない。
【発明を実施するための最良の形態】
【０００６】引き出しに取り付けるときに、開け閉めの障害にならない様に取り付ける。【０００７】引き出しに取り付けるときに、取っ手に障害にならない様に取り付ける。
【図面の簡単な説明】
【０００８】
【図１】オフィスの机を正面と取り付け例。
2013017793.tif 000003
【０００９】
【図２】引き出しの側面と取り付け例。
2013017793.tif 000004
【００１０】
【図３】デッドスペースを有効に使用した平面図。
2013017793.tif 000005
【手続補正書】
【提出日】平成23年9月1日(2011.9.1)
【手続補正１】
【補正対象書類名】明細書
【補正対象項目名】全文
【補正方法】変更
【補正の内容】
【発明の詳細な説明】
【技術分野】
【０００１】本発明は事務所等を快適にするものである。
【背景技術】
【０００２】従来の事務所は通路上及び、引き出しの前にゴミ箱が有り、通行及び、引き出しを開けるのに障害になっていた。又、机上の飲み物で書類を汚す危険があった。
【発明の開示】
【発明が解決しようとする課題】
【０００３】通路上の障害物を無くし、書類を汚す危険を回避できる。
【課題を解決するための手段】
【０００４】引き出しに、ゴミ箱、小物入れ、ドリンクホルダーを取り付ける。
【発明の効果】
【０００５】本発明はデッドスペースを有効活用し、引き出しを開ける時も障害にならない。
【発明を実施するための最良の形態】
【０００６】引き出しに取り付けるときに、開け閉めの障害にならない様に取り付ける。【０００７】引き出しに取り付けるときに、取っ手に障害にならない様に取り付ける。
【図面の簡単な説明】
【０００８】
【図１】オフィスの机を正面と取り付け例。
【図２】引き出しの側面と取り付け例。
【図３】デッドスペースを有効に使用した平面図。
【手続補正２】
【補正対象書類名】図面
【補正対象項目名】全図
【補正方法】追加
【補正の内容】
【図１】
2013017793.tif 000006
【図２】
2013017793.tif 000007
【図３】
2013017793.tif 000008
(57)【要約】      （修正有）【課題】継続した歩行動作に必要な動きを補助する小型で、着脱可能な歩行補助器を提供する。【解決手段】歩行動作する膝関節部を支持する捩じりスプリング１，２と取付用バンド４，５とを備え、膝関節部の上部に取付用バンド５、下部に取付用バンド４で取り付けられた装着者は、捩じりスプリング１と対称な形状の捩じりスプリング２で、膝関節部を両側面から支持され歩行に必要な膝部の回動と伸縮自在を捩じりスプリング１，２で得ることが出来る。【選択図】図１
2013017794.tif 000002
【特許請求の範囲】
【請求項１】
歩行動作を行う膝関節部を支持するに、対称な形状の捩じりスプリング一対を膝関節部を挟んで配置した回動と伸縮自在な動作をする構造を特徴とする歩行補助器。
【発明の詳細な説明】
【発明の詳細な説明】
【技術分野】
【００１】本発明は歩行動作をするための補助器である。
【背景技術】
【００２】歩行動作を行う膝関節部を複数のリンク部材で支持し、これに回動と伸縮自在に制御する駆動部を腰部に装着したロボット化した歩行補助器がある。
（例えば、特許文献１参照）
【先行技術文献】
【特許文献】
【００３】
【特許文献１】特開２００８−７９８０９（Ｐ２００８−７９８０９Ａ）（トヨタ自動車株）
【発明の概要】
【発明が解決しようとする課題】
【００４】これまでの脚体構造の場合、歩行動作する膝関節部を支援する複数のリンクから構成され大型となり歩行動作が困難で、継続した歩行動作が出来ない。【００５】本発明は、このような問題を解決するために捩じりスプリング部材の構成により回動と伸縮動作が自在に得られる脚体構造で、着脱容易な歩行補助器を提供することを目的とする。
【課題を解決するための手段】
【００６】本発明の脚体構造は、歩行動作する膝関節部を支持する捩じりスプリング部材と装着部材とを備えており、支持する捩じりスプリング部材は、膝関節部で回動と伸縮自在に装着され、捩じりスプリング部材の両端は、膝関節部の上側と下側で固定される。
捩じりスプリングによる支持部材の回動と伸縮自在を得た歩行動作を行うことを特徴とする。【００７】また、このように構成された脚体構造は、支持する捩じりスプリング部材の回動と伸縮で歩行動作に必要な動きを補助する小型で着脱容易な歩行補助器となる。
【発明の効果】
【００８】本発明による脚体構造は、歩行動作する膝関節部を駆動するため回動と伸縮自在をする捩じりスプリング部材により膝関節部を支持する構造で、歩行動作を継続することが出来る。
【発明を実施するための形態】
【００９】本発明による脚体構造は、人間の歩行を補助するための歩行補助器を示すものである。（図１）
【００１０】図１，２に示すように、膝関節部の上部にバンド５下部をバンド４で固定するよう設定され、両バンド４，５に両端を接続された捩じりスプリング１と対称な形状の捩じりスプリング２を構成し、バンド４とバンド５をつなぐマット３は、捩じりスプリング１と２を内臓するように設定されている。
図２で、バンド４、５に取り付けられた捩じりスプリング１，２の両端は、曲げてバンドに固定されている。
バンド４，５には、マジックテープ６が取り付けられており、膝部への装着が容易になっている。
【００１１】以上のように構成され図１のように膝関節部の上部にバンド５、下部にバンド４で取り付けられた装着者は、図２のように捩じりスプリング１と対称な形状の捩じりスプリング２で、膝関節部を両側面から支持され歩行に必要な膝部の回動と伸縮自在を捩じりスプリング１，２で得ることが出来る構成を特徴とする歩行補助器。
【図面の簡単な説明】
【００１２】
【図１】本発明による脚体構造の歩行補助器で、全体を示す概略図である。
【図２】図１に示す歩行補助器を装着した概略図である。
【符号の説明】
【００１３】１      捩じりスプリング
２      １と対称な形状の捩じりスプリング
３      マット
４，５  取付用バンド
６      マジックテープ
【図１】
2013017794.tif 000003
【図２】
2013017794.tif 000004
(57)【要約】【課題】鼻部の皮脂や角栓は除去しづらく、洗顔料を用いての洗浄や、シート状パックを用いて皮脂や角栓を引き出す方法がその主流であった。  本発明は、自力による負荷により自ら力を加減し、鼻部の皮脂や角栓を除去する用具を提供する。【解決手段】多少折り曲げ可能なプラスチックや硬めのシリコン剤等を用い、富士山状のパットを形成し、パット山頂部からほぼ垂直方向に緩やかな溝カーブの折り型をつけ、山頂部から末広状に延びた左右の稜線に沿って、ふもとの少し手前まで、少し分厚い三角状の擦過エッジを設け、擦過エッジの下部先端から先の裾部を軽く反らせ、溝カーブを挟んだ左右対称面の各中央部に、指先腹が収まる程度の凹状のつまみを設けたことを特徴とする、鼻部の皮脂や角栓の除去具。【選択図】図１
2013017788.tif 000002
【特許請求の範囲】
【請求項１】
多少折り曲げ可能なプラスチックや硬めのシリコン剤等を用い、富士山状のパットを形成し、パット山頂部からほぼ垂直方向に緩やかな溝カーブの折り型をつけ、山頂部から末広状に延びた左右の稜線に沿って、ふもとの少し手前まで、少し分厚い三角状の擦過エッジを設け、擦過エッジの下部先端から先の裾部を軽く反らせ、溝カーブを挟んだ左右対称面の各中央部に、指先腹が収まる程度の凹状のつまみを設けたことを特徴とする、鼻部の皮脂や角栓の除去具。
【発明の詳細な説明】
【技術分野】
【０００１】  本発明は、鼻部の皮脂や角栓の除去具に関するものである。
【背景技術】
【０００２】  従来、鼻部の皮脂や角栓を除去するためには、主に洗顔料等を用い指で洗い流していた。なお、シート状パックを用い、一定時間経過した後に皮脂や角栓をシート状パックごと剥がし取る方法が知られている（特許文献１、２を参照）。
【先行技術文献】
【０００３】
【特許文献１】  特許公開平１０−３２４６１３号公報
【特許文献２】  登録実用新案第３０５２１１９号公報
【発明の概要】
【発明が解決しようとする課題】
【０００４】  鼻部の皮脂や角栓は除去しづらく、従来も洗顔料やシート状パックを用いて皮脂や角栓を多少引き出す事は出来たが、シートの場合は接着剤を用いるため、敏感な鼻部からシートを剥がすときに痛みや不快感を覚えることがあった。また、従来の方法は皮脂や角栓を洗い出すことや引き出すことが主であり、自力による負荷によって自ら力を加減し、皮脂や角栓を押し出す器具はこれまで存在しなかった。
本発明は、以上の問題点を解決するためになされたものである。
【課題を解決するための手段】
【０００５】  多少折り曲げ可能なプラスチックや硬めのシリコン剤等を用い、富士山状のパットを形成し、パット山頂部からほぼ垂直方向に緩やかな溝カーブの折り型をつけ、山頂部から末広状に延びた左右の稜線に沿って、ふもとの少し手前まで、少し分厚い三角状の擦過エッジを設け、擦過エッジの下部先端から先の裾部を軽く反らせ、溝カーブを挟んだ左右対称面の各中央部に、指先腹が収まる程度の凹状のつまみを設ける。
以上を特徴とする鼻部の皮脂や角栓の除去具である。
【発明の効果】
【０００６】  洗顔料等で洗い出すことやパック等で引き出すような従来の方法においては、かなりの痛みと不快感を伴ったが、本発明の利用においては、自力の負荷により押し出して除去することが出来るので、痛みも不快感もなく爽快になれる。
【図面の簡単な説明】
【０００７】
【図１】  本発明の斜視図
【図２】  本発明の使用状態を示すイメージ図
【発明を実施するための形態】
【０００８】  以下、本発明の実施の形態を説明する。
（イ）多少折り曲げ可能なプラスチックや硬めのシリコン剤等を用い、富士山状のパット    （１）を形成し、パット（１）の山頂部からほぼ垂直方向に緩やかな溝カーブ（５）    の折り型をつけ、山頂部から末広状に延びた左右の稜線に沿って、ふもとの少し手前    まで、少し分厚い三角状の擦過エッジ（２）を設け、擦過エッジ（２）の下部先端か    ら先の裾部（３）を軽く反らせ、側面となる部分に凹状のつまみ（４）を設ける。
本発明は以上のような構造である。
本発明を使用するときは、半身浴やウォーキング等健康に害を及ぼさない方法で顔面、特に鼻に汗をかき、その状態で鼻を軽く揉みほぐす。
次に本発明を鼻に被せるように乗せ、各々の好みの強さで本発明をつまんだまま、擦過エッジ部分で皮膚を擦るように前方へ移動させる。
そうすると、擦過エッジに皮脂や角栓が付着し、鼻部が清潔になる。
【符号の説明】
【０００９】１  パット、  ２  擦過エッジ、  ３  裾部、  ４  つまみ、  ５  溝カーブ
【図１】
2013017788.tif 000003
【図２】
2013017788.tif 000004
(57)【要約】【課題】  ウェブ上において、旧メールアドレスや旧電話番号を手がかりに発信された情報が、そのメールアドレスや電話番号を登録している利用者に届くようにする。【解決手段】  旧メールアドレスや旧電話番号しかわからない相手に情報を発信する手段を提供するため、ウェブ上において、新旧メールアドレスや新旧電話番号を登録した利用者に、個別のパスワードの入力により自分に発信された情報の閲覧や情報発信操作が行える専用ページを貸与し、また登録を行わない利用者には情報発信するための機能を貸与することにより、利用者間において情報のやり取りができるネットコミュニティを構成し、情報の発信先を選定する手段としてメールアドレスおよび電話番号の文字列を検索キーワードとして用いる。【選択図】図１
2013017151.tif 000002
【特許請求の範囲】
【請求項１】
ネットワークに接続したウェブサーバ上において、登録を行った利用者に、パスワードの入力によって入手情報の閲覧や情報発信操作を行える専用ページを貸与し、またその他の利用者には情報発信するための機能を使用させることにより、利用者間で情報発信を行わせ、発信先を選定する手段として、利用者が登録した一つまたは複数のメールアドレスの文字列を検索キーワードとして用いることを特徴とするネットコミュニティサービス。
【請求項２】
情報の発信先を選定する手段として、利用者が登録した一つまたは複数の電話番号の文字列を検索キーワードとして用いることを特徴とする請求項１記載のネットコミュニティサービス。
【請求項３】
利用者の専用ページに入る情報を、各利用者のメールアドレスに転送することを特徴とする請求項１または請求項２記載のネットコミュニティサービス。
【発明の詳細な説明】
【技術分野】
【０００１】  本発明は、ネットコミュニティにおいて旧メールアドレスや旧電話番号を手がかりとして発信された情報を、その旧メールアドレスや旧電話番号を登録している利用者が入手するための方法に関するものである。
【背景技術】
【０００２】  現在、情報交換の手段として携帯電話やＥメールが広く利用されている。【０００３】  しかし、電話番号やメールアドレスを変更した場合、変更を知らない相手からの通信が途絶えてしまうという欠点があった。【０００４】  この改善策として、通信会社などが行う転送サービスがあるが、一定期間に限られるため完全な解決方法とはならない。
【発明の概要】
【発明が解決しようとする課題】
【０００５】  解決しようとする問題点は、使われなくなった旧メールアドレスや旧電話番号しかわからない相手への情報発信手段が無い点である。
【課題を解決するための手段】
【０００６】  本発明は、旧メールアドレスや旧電話番号しかわからない相手に情報を発信する手段を提供するため、ウェブ上において、新旧メールアドレスや新旧電話番号を登録した利用者に、個別のパスワードの入力により自分に発信された情報の閲覧や情報発信操作が行える専用ページを貸与し、また登録を行わない利用者には情報発信するための機能を貸与することにより、利用者間において情報のやり取りができるネットコミュニティを構成し、情報の発信先を選定する手段としてメールアドレスおよび電話番号の文字列を検索キーワードとして用いることで、登録した利用者が自分の旧メールアドレスや旧電話番号しか知らない相手からの情報を入手できるようにすることを最も主要な特徴とする。
【発明の効果】
【０００７】  本発明のネットコミュニティは、すでに使われていないメールアドレスや電話番号を情報発信先選定の手段に用いるため、久しい知人への情報発信を行うことができるので、発信者はたとえば同窓会のお知らせに利用することができ、受信者は懐かしい相手からの便りを期待できるという利点がある。
【図面の簡単な説明】
【０００８】
【図１】ネットコミュニティの構成を示した説明図である。
【図２】ネットコミュニティ利用者の登録用画面を示した説明図である。
【図３】ネットコミュニティ登録者のログイン画面を示した説明図である。
【図４】ネットコミュニティ登録者のログイン後の閲覧画面を示した説明図である。
【図５】ネットコミュニティ利用者の情報発信先検索画面を示した説明図である。
【図６】ネットコミュニティ利用者の情報発信先検索結果画面を示した説明図である。
【図７】ネットコミュニティ登録者の情報発信用メッセージ作成および送信画面を示した説明図である。
【図８】ネットコミュニティ未登録者の情報発信用メッセージ作成および送信画面を示した説明図である。
【発明を実施するための形態】
【０００９】  更新したためすでに使われていないメールアドレスや電話番号に向けて情報発信するという目的を、ネットコミュニティの機能を用いて実現した。
【実施例】
【００１０】  図１は、本発明ネットコミュニティの１実施例の構成図であって、図２は利用者用登録画面、図３はログイン画面、図４はログイン後の閲覧画面、図５は情報発信先検索画面、図６は情報発信先検索結果画面、図７は登録者の情報発信用メッセージ作成および送信画面、図８は未登録者の情報発信用メッセージ作成および送信画面である。【００１１】  図２の登録画面で登録を行った利用者は、いつでも図３のログイン画面を経て、図４の自分専用の閲覧画面にアクセスすることができ、図２の登録画面であらかじめ登録した検索用のメールアドレスや電話番号によって自分を選定し送信されたメッセージを閲覧できる。【００１２】  また図４の閲覧画面またはネットコミュニティのトップページに用意した図５の情報発信先検索画面を用いて、自分が知っているメールアドレスや電話番号を入力することで送信したい相手を検索し、図６の情報発信先登録状況検索結果画面において、複数の登録者が表示された場合はさらに絞り込み検索を繰り返すことにより、送信相手を選定し、宛先にメッセージ作成ボタンをクリックして図７または図８の情報発信用メッセージ作成および送信画面に必要事項やメッセージを入力して送信する。【００１３】  前述の手続きで送信されたメッセージは相手先の図４の閲覧画面に表示されるので、登録をしている利用者同士は本発明ネットコミュニティ上で相互に情報交換ができ、登録していない利用者も現在使用中のメールアドレスや電話番号を伝えることで情報交換の手段を得ることができる。
【図１】
2013017151.tif 000003
【図２】
2013017151.tif 000004
【図３】
2013017151.tif 000005
【図４】
2013017151.tif 000006
【図５】
2013017151.tif 000007
【図６】
2013017151.tif 000008
【図７】
2013017151.tif 000009
【図８】
2013017151.tif 000010
(57)【要約】【課題】  スピーカーを水中で使うためには水や水圧から振動板であるコーン紙や重要なユニットを守るために防水性の高い丈夫な素材でカバーする必要があった。しかし、丈夫に保護すればするほど音源としての重要な機能である振動板の振動を抑えてしまい、十分な音圧が得られない結果となっていた。  本発明は水の中やさまざまな悪環境で使える水中スピーカーを目的とする。【解決手段】  振動スピーカーを採用することで音源として重要な振動板が本体の内側にありながらスピーカーとしての十分な音圧を確保する。スピーカー本体である収納ケースとそれを取り付ける物体とを完全に接着し一体化することで、水、ホコリ、水圧、強風などの悪条件からスピーカーユニットを保護する構造を持っている。【選択図】図１
2013017152.tif 000002
【特許請求の範囲】
【請求項１】
スピーカーの振動部をスピーカー本体の内側に配設し、スピーカー本体である収納ケースとそれを取り付ける物体とを完全に接着することで水、水圧などの環境から高い気密性を持った水中スピーカー。
【発明の詳細な説明】
【技術分野】
【０００１】  本発明は水圧や水のかかる場所で使われる水中スピーカーに関するものである。
【背景技術】
【０００２】  従来の水中スピーカーは、振動板であるコーン紙などを防水性の高い素材で作り、他の部分は防水ケースに収納するなどして本体内部に水が浸入するのを防いでいた。
【発明の概要】
【発明が解決しようとする課題】
【０００３】  スピーカーをしっかりと水や水圧から守るためには振動板であるコーン紙などを防水性の高い丈夫な素材でカバーする必要がある。しかし、丈夫に保護すればするほど音源としての重要な機能である振動板の振動を抑えてしまい、十分な音圧が得られない結果となっている。
また、スピーカー全体を丈夫な防水性のケースの中に収納してしまえば、音の出口が無くなり音源として非常に効率の悪いものとなってしまう。
【課題を解決するための手段】
【０００４】  本発明の特徴は音源に振動スピーカーを採用したことである。振動スピーカーとはコーン紙などの特定の振動板を持たず、直接触れている振動体であるサーフボードを共鳴させ、その物体自体を音源としてしまう水中スピーカーである。
このスピーカーの振動部をスピーカー本体の内側に配設し、スピーカー本体である収納ケースとそれを取り付ける物体であるサーフボードとを完全に接着し一体化することで水、ホコリ、水圧、強風などの環境から高い気密性を持った水中スピーカーとなっている。
【発明の効果】
【０００５】  このスピーカーは本体から音を出すのではなく、それが取り付けられた物体自体が音源となる。スピーカーの振動板は本体の内側にあるため水や水圧から守られた位置に配設されている。また、スピーカーユニットを水圧などから守るための収納ケースに十分な強度を持たせたり、取り付ける物体にしっかりと固定したりしたとしてもスピーカーの出す音圧に何ら影響のない構造となっている。
【図面の簡単な説明】
【０００６】
【図１】発明本体の断面図
【図２】発明本体の下から見た図
【図３】発明本体の斜視図
【図４】本発明の使用状態を示す斜視図
【発明を実施するための形態】
【０００７】  本体は薄めの御碗をひっくり返したような形となっており、縁の部分には取り付ける物体と接着するための両面テープを貼るのりしろ部分を設けてある。両面テープを使って取り付ける物体としっかり接着し一体化することによりスピーカー本体内部の気密性を保つ構造となっている。
スピーカーの振動面は本体内側の中央下部にあり、本体が取り付けられた時にはその振動面が取り付けられる物体としっかり接触できるようにスピーカーユニットの後部にはクッションが設けられている。
音を出すためのバッテリーやアンプ類は本体内部に、スイッチは防水のものを本体中央上部に配置した。
【実施例】
【０００８】  サーフボードやクーラーボックスなど、海などで使う道具や浴室の壁などに取り付けておくことで全天候型の緊急時アラームとして利用できる。【０００９】  水に浮いている物体に取り付けた場合、音源が水に触れている部分全体となるため効果的に水中へ音波を発生させる装置として活用できる。
【産業上の利用可能性】
【００１０】  アラームとしてだけではなく水中などで音楽などを聴くことのできる装置としても活用することができる。
【符号の説明】
【００１１】１  水中スピーカー本体、  ２  振動スピーカー、  ３  電池、  ４  アンプ、  ５  スイッチ、６  両面テープ、  ７  クッション、  ８  振動面、  ９  取り付けられる物体（サーフボードなど）
【図１】
2013017152.tif 000003
【図２】
2013017152.tif 000004
【図３】
2013017152.tif 000005
【図４】
2013017152.tif 000006
(57)【要約】【課題】友釣り用アユを保護しながら友釣りを行うことができ、周囲のアユからの攻撃に対して制御することができるため長時間泳がせることができる友釣り用アユ入れ容器を実現すること。【解決手段】  友釣り用アユを入れる保持容器と、保持容器に開口したアユ挿入口を設けると共に、友釣り用アユが水中で逃げなくするための止具と、保持容器の周囲にアユを引っ掛ける引っ掛け針を設けてなること。【選択図】図１
2013017463.tif 000002
【特許請求の範囲】
【請求項１】
友釣り用アユを入れる保持容器と、保持容器に開口したアユ挿入口を設けると共に、友釣り用アユが水中で逃げなくするための止具と、保持容器の周囲にアユを引っ掛ける引っ掛け針を設けてなることを特徴とする友釣り用アユ入れ容器。
【請求項２】
保持容器が、内部に水が流入すべく流入口を設けてなることを特徴とする請求項１記載の友釣り用アユ入れ容器。
【請求項３】
保持容器が友釣り用アユが中で反転しないよう幅寸法を６０ｍｍ以下とすることを特徴とする請求項１又は２記載の友釣り用アユ入れ容器。
【請求項４】
保持容器に、重りを設けてなることを特徴とする請求項１、２又は３記載の友釣り用アユ入れ容器。
【請求項５】
保持容器に、釣糸を取り付ける取付部を設けてなることを特徴とする請求項１、２、３又は４記載の友釣り用アユ入れ容器。
【請求項６】
止具が、紐と輪ゴムから構成したことを特徴とする請求項１、２、３、４又は５記載の友釣り用アユ入れ容器。
【請求項７】
止具を、友釣り用アユの脂びれと尾びれの間に設けることを特徴とする請求項１、２、３、４、５又は６記載の友釣り用アユ入れ容器。
【発明の詳細な説明】
【技術分野】
【０００１】  本発明は、友釣り用アユを保持容器に入れ、弱らせることなく友釣りができる友釣り用アユ入れ容器に関するものである。
【背景技術】
【０００２】  従来の技術としては、保護具の内側を中空にした円錐形を形成し、これに軸ボルトを貫設し、それぞれ重量の異なる、おもりを軸ボルトへ着脱自在に挿着し、ナットで固定して糸孔を介して道糸に繋ぐものがある。（特許文献１参照）【０００３】  また、別の従来技術として、長細状で側面に通水孔を穿設すると共に開口部を有してなる上蓋本体の先端上面を湾曲状で頭部保護片を形成し、当該上蓋本体の頭部保護片中央長手に沿って仕掛糸通を可能とする仕切溝を設けると共に内容器を嵌合し休息器本体を形成したことを特徴とする友釣り用おとり鮎休息器がある。（特許文献２参照）
【先行技術文献】
【特許文献】
【０００４】
【特許文献１】  実開平６−７０５６８号公報
【特許文献２】  実公平７−４５１８４号公報
【発明の概要】
【０００５】  上記前者のものは、円錐形の保護具で友釣り用アユを弱らせないとのことですが、従来と同様に友釣り用アユにハナカンを付けており、やはり弱ってしまい易い。
【０００６】  また、上記後者においては、友釣り用アユを水中にて休息させるためのもので本発明とは目的や機能が異なるものである。
【０００７】  本発明は、このような従来の構成が有していた問題を解決しようとするもので、友釣り用アユを保護しながら友釣りを行うことができ、周囲のアユからの攻撃に対して制御することができるため長時間泳がせることができる友釣り用アユ入れ容器を実現することを目的とする。
【課題を解決するための手段】
【０００８】  本発明は、上記目的を達成するため、友釣り用アユを入れる保持容器と、保持容器に開口したアユ挿入口を設けると共に、友釣用アユが水中で逃げなくするための止具と、保持容器の周囲にアユを引っ掛ける引っ掛け針を設けてなること。保持容器が、内部に水が流入すべく流入口を設けてなること。保持容器が友釣用アユが中で反転しないよう幅寸法を６０ｍｍ以下とすること。保持容器に、重りを設けてなること。保持容器に、釣糸を取り付ける取付部を設けてなること。止具が、紐と輪ゴムから構成したこと。止具を、友釣り用アユの脂びれと尾びれの間に設けるものである。
【発明の効果】
【０００９】１）、アユ挿入口を設けた保持容器に、止具と引っ掛け針を設けることにより、友釣り用アユを弱らせることなく、長時間泳がせることができ、アユを引っ掛けて釣ることができる。
２）、流入口により友釣り用アユに十分な水（酸素）を取り入れられ、体力を保持できる。
３）、保持容器の幅を６０ｍｍ以下とすることにより、中で反転することなく泳がせることができる。
４）、重りにより、水流や深さに対応できる。
５）、取付部により、従来の友釣り用アユに直接釣糸を付けないため、友釣り用アユは弱りにくい。
６）、止具を紐と輪ゴムにより構成することにより、確実に友釣り用アユを後方から逃がすことなく泳がせることができる。
７）、止具を友釣り用アユの脂びれと尾びれの間に設けることによりより強固に保持できる。
【図面の簡単な説明】
【００１０】
【図１】  本発明の一実施例を示す友釣り用アユ入れ容器の正面図。
【図２】  本発明の一実施例を示す友釣り用アユ入れ容器の側面図。
【図３】  本発明の一実施例を示す友釣り用アユ入れ容器の平面図。
【図４】  本発明の一実施例を示す友釣り用アユ入れ容器の使用状態図。
【発明を実施するための形態】
【００１１】１は、友釣り用アユ入れ容器である。
２は、友釣り用アユを入れる平面流線形の保持容器で、例えばプラスチック製で、少なくとも側面に内部に水が入り易くすべくスリット状の流入口２ａ−−−−−を設けると共に、後部を開口したアユ挿入口２ｂを形成し、流入口２ａの幅Ｈを６０ｍｍ以下とすることが望ましい。
３は、金属系の重りで、必要に応じて設けるものである。
４は、釣るためのアユを引っ掛け針４で複数（この実施例の場合４本）設けてなる。
５は、保持容器２の先端に設けた釣糸を取付ける取付部である。
６は、止具で、紐６ａと輪ゴム６ｂから構成される。
【００１２】  上記友釣り用アユ入れ容器１の使用例について述べる。
まず、釣竿ＴＺの釣糸ＴＩの先端を取付部５に取付ける。
つぎに、友釣り用アユＴＡを頭から保持容器２内に入れ、止具６の輪ゴムを友釣り用アユＴＡの脂びれＡＢと尾びれＯＢの間に取付けることにより、挿入口２ｂより友釣り用アユＴＡが逃げることなく保持できる。
この状態で川Ｋに友釣り用アユ入れ容器１を投入する。
この時、流入口２ａ−−−より水が入り込むと共に、尾びれＯＢも自由に動かせるため、引っ掛けるアユＡＵの攻撃にも弱ることなく長時間泳がせることができ、引っ掛け針４−−−にてアユＡＵを引っ掛けて釣ることができる。
【００１３】  なお、上記保持容器の材質や流入口等は同様な機能であれば金網等で加工してもよい。
また、止具も同様な機能であれば、蓋等他の形態も一考である。
さらに、引っ掛け針の位置や数も必要に応じて設定するものとする。
【符号の説明】
【００１４】１−−−友釣り用アユ入れ容器
２−−−保持容器
３−−−重り
４−−−引っ掛け針
５−−−取付部
６−−−止具
ＴＡ−−−友釣り用アユ
ＡＵ−−−引っ掛けるアユ
【図１】
2013017463.tif 000003
【図２】
2013017463.tif 000004
【図３】
2013017463.tif 000005
【図４】
2013017463.tif 000006
(57)【要約】【課題】  従来の方法では、硬質なもの等に卵の殻をぶつけ、殻に裂け目をつけた時、殻が細かく砕け飛び散り、生卵および温泉卵にいたっては、卵の中身が外に飛び出てしまうことは多く、周囲が汚れてしまっていた。【解決手段】  本発明は、卵１の殻２に、一箇所または数箇所、プレート３を接着剤等で接着。当該プレート３を剥がすと、当該プレート３の殻に接着している部分４の垂下の殻５が一緒に剥がれ、テーブル等硬質な物にぶつけずとも、裂け目１１がつき、そこから、殻が飛び散ることも、卵の中身が飛び出ることも無く、卵１の殻２を剥くことができ、上記課題を解決するものである。また、卵１の形状は楕円・球状体であり、当該プレート３の接着度を強化する為、当該プレート３の殻の接着部分４は、縦・横アーチを設けるものとする。【選択図】図1
2013017404.tif 000002
【特許請求の範囲】
【請求項１】
テーブル等硬質な物にぶつけずに、卵の殻に裂け目を入れる為、卵の殻に、一箇所または数箇所、プレートを接着させていることをを特徴とする接着プレート付き殻つき卵。
【請求項２】
上記プレートの接着度を強化する為、当該プレートの殻の接着部分に、縦・横アーチを設けていることを特徴とする上記請求項１記載の接着プレート付き殻つき卵。
【発明の詳細な説明】
【技術分野】
【０００１】
本発明は、生卵、ゆで卵および温泉卵等，殻つき卵に関するものである。
【背景技術】
【０００２】
従来、殻つき卵（生卵、ゆで卵および温泉卵）の中身を取り出す際は、機械・器具を使用する場合を除き、卵をテーブル等硬質なものにぶつけ、裂け目をつけ、殻を剥くのがほとんどであった。
【先行技術文献】
【特許文献】
【０００３】
【特許文献１】特願２００４−１３１１８７
【発明の概要】
【発明が解決しようとする課題】
【０００４】
従来の方法では、硬質なもの等に卵の殻をぶつけ、殻に裂け目をつけた時、殻が細かく砕け飛び散り、生卵および温泉卵にいたっては、卵の中身が外に飛び出てしまうことは多く、周囲が汚れてしまっていた。
【課題を解決するための手段】
【０００５】
本発明は、卵の殻に、一箇所または数箇所、プレートを接着剤等で接着。当該プレートを剥がすと、当該プレートの殻に接着している部分の垂下の殻が一緒に剥がれ、テーブル等硬質な物にぶつけずとも、裂け目がつき、そこから、殻が飛び散ることも、卵の中身が飛び出ることも無く、卵の殻を剥くことができ、上記課題を解決するものである。
また、卵の形状は楕円・球状体であり、当該プレートの接着度を強化する為、当該プレートの殻の接着部分は、縦・横アーチを設けるものとする。
【発明の効果】
【０００６】
本発明は、当該プレートを剥がすと、当該プレートの垂下の殻の一緒に剥がれ、そこから剥くことによって、殻が飛び散ること及び卵の中身が外に飛び出すことを防止し、周囲を汚さず、卵の殻を剥くことを可能とするものである。
【図面の簡単な説明】
【０００７】
【図１】（ａ）と（ｂ）の２つに分けて表した、殻付き卵の斜面図。
【図２】本発明が適用するプレートの斜面図および平面図。
【発明を実施するための形態】
【０００８】
以下、本発明の実態の形態を図１に基づいて説明する。
【０００９】
（ａ）は、本発明が適用するプレート３が、卵１の殻２に接着されている状態を表した殻付き卵１の斜面図である。
【００１０】
卵１の形状は楕円・球状体であり、プレート３の接着度を強化する為、プレート３の殻に接着する部分４は、縦・横アーチを設けるものとする。
【００１１】
（ｂ）は、当該プレート３が剥がされた跡１１の状態を表した殻付き卵の斜面図である。
【００１２】
当該プレート３が剥がされるのと、当該プレート３の殻に接着している部分４の垂下の殻５が一緒に剥がされ、卵１の殻に裂け目１１ができている状態を表しているものである。
【００１３】
1  接着プレート付き殻付き卵の（全体・斜面図）
２  卵の殻
３  プレートの全体・斜面図
４  プレート（背面・卵殻に接着している部分）
５  プレート４垂下の殻
６  プレート（上面）
７  プレート（左側面）
８  プレート（正面）
９  プレート（底面）
１０  プレート（右側面）
１１  殻の裂け目（プレートが剥がれた跡の殻の裂け目）
【図１】
2013017404.tif 000003
【図２】
2013017404.tif 000004
(57)【要約】 【課題】  犬や猫を含む愛玩動物などの飼育されている動物は、普段は攻撃性を見せないが、様々な条件下で、興奮もしくは攻撃的な面を見せる。その場合、人に対して、他の動物に対して、物理的な損傷、心理的なストレスを与える事が多く、問題となっている。ペット医療の現場でも、診療時に拒絶し、攻撃性を見せ、診療に支障をきたしている。環境などの変化に興奮しやすい動物に、もしくは多頭飼育におけるストレス状況下の動物に対して、装着することにより、沈静化を計り、攻撃性を減じるバンドを提供する。【解決手段】動物の首部および胴体部にバンドを同時に、締め付けず、巻くことにより、沈静化を計り、また、両バンドが動物の動きにより、外れないように連結し、効果を持続させる。【選択図】  図２
2013150579.tif 000002
【特許請求の範囲】
【請求項１】
犬猫の首部に装着される首当部と、胴体部に装着される胴体当部と、前記首当部および胴体当部を連結するための連結部からなる沈静化バンド。
【請求項２】
前記首当部と胴体当部より延設され連結部と一体化した沈静化バンド。
【発明の詳細な説明】
【技術分野】
【０００１】
犬や猫を含む愛玩動物は、普段は攻撃性を見せないが、様々な条件下で、興奮もしくは攻撃的な面を見せる。その場合、人に対して、他の動物に対して、物理的な損傷・危害、心理的なストレスを与える事が多く、問題となっている。ペット医療の現場でも、診療時に拒絶し、攻撃性を見せ、診療に支障をきたしている。
【背景技術】
【０００２】
動物診療の現場では、個体を保定・拘束するための道具等は開発されている。また、動物を沈静化させるための薬剤の投与もしくは噴霧する。また、他頭飼育の場合、興奮するまたは危害を及ぼす個体を隔離し飼育する。
【先行技術文献】
【特許文献】
【０００３】
【特許文献１】特開２００５−５８１９２
【発明の概要】
【発明が解決しようとする課題】
【０００４】
犬や猫を含む愛玩動物などの飼育されている動物は、普段は攻撃性を見せないが、様々な条件下で、興奮もしくは攻撃的な面を見せる。その場合、人に対して、他の動物に対して、物理的な損傷、心理的なストレスを与える事が多く、問題となっている。ペット医療の現場でも、診療時に拒絶し、攻撃性を見せ、診療に支障をきたしている。環境などの変化に興奮しやすい愛玩動物に、もしくは多頭飼育におけるストレス状況下の動物に対して、首部および胴体部を締め付けること無く、装着することにより、沈静化を計り、攻撃性を減じるバンドを提供する。従来、動物の沈静化を計る手段として、薬剤等の投与、拘束など動物個体に副作用やストレスの負荷がある。本発明では、簡便に装着し、首部および胴体部を締め付けずに、日常の行動を制限することなく、四肢の自由度が確保出来、沈静化を計れる。
【課題を解決するための手段】
【０００５】
動物の首部および胴体部にバンドを同時に巻くことにより、沈静化を計り、また、両バンドが動物の動きにより、外れないように連結し、効果を持続させる。首当部は、首周囲実寸長より長くし、胴体当部も最大胴周囲実寸長より長くする。連結部も同様に個体の首部から胴体部（最大胴周囲）の実寸長より長くし、緩みをもたせる。連結部は、腹側と背中側にもってきても効果に差異は無い。
【発明の効果】
【０００６】
興奮しやすい動物に装着することにより、沈静化を計り、他への攻撃性を減じ、人や多頭飼育での他の個体への危害を防ぐ。動物診療において、暴れにくくなり、保定や治療が行いやすくなる。多頭飼育におけるストレス状態での暴れや喧嘩などの沈静化を行える。四肢を拘束しないことから、通常の歩行や行動を制限せずに沈静化する。首部と胴体部を同時にバンドで締め付けず、当てることにより、俊敏で攻撃的な行動が抑えられ、沈静化をはかる。犬猫の噛む事や引っ掻く事などの攻撃的な行動には、首部と胴体部が連携して、動くことが分かっているので、首部および胴体部にバンドがあることにより、攻撃的な行動が減弱する。
【図面の簡単な説明】
【０００７】
【図１】本発明の平面図である。
【図２】本発明の装着図である。
【発明を実施するための形態】
【０００８】
首当部バンド、胴体当部バンド、連結バンドよりなる。首当部バンド・胴体当部バンドには、留め具が付く。図１は平面図である。図２は、個体に対してバンドを装着した立体図である。図２（a）は、背中側に連結部がある。図２（b）は、腹側に連結部がある。図２のごとく、個体に対して、首当部バンド（１）を首部に装着し首当部留め具（４）で留め、胴体当部バンド（３）を装着し、胴体当部留め具（５）で留める。連結バンド（２）は、背中側または腹側につける。
（イ）バンドの素材は、動物の皮膚に優しく、柔軟性のある素材で、洗浄可能なものとする。
（ロ）首当部バンド、胴体当部バンドは、各種動物の首回り、胴回りによる。
（ハ）連結バンドは、首部から胴体部に掛けての長さによる。
（ニ）首当部および胴体当部バンドの留め具は安全で脱着しやすい。
（ホ）連結バンドは、首当部バンド・胴体当部バンドと一体化してもよい。
（へ）首当部バンドは、二重織り袋縫い構造にする。
【符号の説明】
【０００９】
（１）首当部バンド
（２）連結バンド
（３）胴体当部バンド
（４）首当部留め具
（５）胴体当部留め具
【図１】
2013150579.tif 000003
【図２】
2013150579.tif 000004
(57)【要約】【課題】いか風味の強いせんべいを提供する【解決手段】一辺が約５mm程度の粒状のいか１５〜２０％、小麦粉５〜１０％、あられ生地７０〜８０％ミキシングしたあられ原料をいか形をなす加熱した金型の凹型に一定量入れたのち、同じく加熱した凸形の金型で加圧し、ついで凸形を急激に上昇させて、いか形の膨化したせんべいを作り、その後醤油をベースにしたダシ液（醤油４０〜５０％、砂糖３０〜３５％、みりん２０〜２５％）を噴霧し焙焼してなるせんべい。【選択図】なし【特許請求の範囲】
【請求項１】
小片のいか、小麦粉、あられ生地を含む原料をミキシングしたのち金型に入れて加圧加熱し、ついで醤油をベースにしたタレ液を塗布ないし噴霧して焙焼してなるせんべい。
【発明の詳細な説明】
【技術分野】
【０００１】
本発明は、いか風味を有するせんべいに関する。
【背景技術】
【０００２】
従来のせんべいは通常、あられ生地のみを焼き上げて作られているが、あられ生地に微粒子のいか粉を混ぜたせんべい生地を焼き上げて作られたものもある。
【発明の概要】
【発明が解決しようとする課題】
【０００３】
本発明は、いか風味をより強くした、せんべいを提供することを目的とする。
【課題を解決するための手段】
【０００４】
本発明のせんべいは、粒状のいか、小麦粉、あられ生地を含む原料をミキシングしたのち金型に入れて加圧加熱し、ついで醤油をベースにしたダシ液を塗布ないし噴霧して焙焼してなるものである。
【発明の効果】
【０００５】
本発明のせんべいは、配合されるいかが粉状でなく、粒状をなすことにより、いか風味の強いせんべいとなる。
【実施例１】
【０００６】
一辺が約５mm程度の粒状のいか１５〜２０％、小麦粉５〜１０％、あられ生地７０〜８０％をミキシングしたあられ原料をいか形をなす加熱した金型の凹型に一定量入れたのち、同じくいか形の加熱した凸形の金型で凹形の金型内のあられ原料を加圧後、凸形の金型を急激に上昇させることにより、いか形の膨化したせんべいを作り、その後醤油をベースにしたダシ液（醤油４０〜５０％、砂糖３０〜３５％、みりん２０〜２５％）を噴霧し焙焼した。
(57)【要約】      （修正有）【課題】鍋類料理を煮る際、他の料理最中に鍋吹き零れ慌てて置き場所を解消する為に鍋蓋収納台に収納する鍋蓋置きを提供する。【解決手段】鍋蓋を鍋蓋収納台３から鍋蓋つまみ止め２上部奥へ収納固定することによって、鍋蓋類を安全に使用できるようにする。【選択図】図２
2013150761.tif 000002
【特許請求の範囲】
【請求項１】
２鍋蓋つまみ止めを設置し、５を鍋蓋止め３ｃｍ奥より離したことより鍋蓋つまみが、止下へ潜り鍋蓋止めで停止し固定できた事。
【請求項２】
４凸凹山を設けた事によりスムーズに鍋蓋を平行に鍋蓋から湯気汁が零れる事なく収納後  前後に揺れず安全に固定できる。
【請求項３】
３斜面角度３０度  ５斜面角度６０度目安として設定した事で、鍋蓋収納台が安定した。
【請求項４】
３と３入り口を設定した事で格納へ鍋蓋が安全に収納固定できる。
【発明の詳細な説明】
【技術分野】
【０００１】本発明は、料理の際  鍋蓋置き場所確保の為に使用目的とした物である。
【背景技術】
【０００２】従来は、鍋蓋置き台が無かった。
【先行技術文献】
【特許文献】
【０００３】特開
【特許文献１】  ２００５−２９６５５８
【特許文献２】  ２００２−３３６１４２
【特許文献３】  ２００９−１４８５２３
【特許文献４】  平１０−１７９４３２
【特許文献５】  平７−２５５５９８
【発明の概要】
【発明が解決しようとする課題】
【０００４】鍋が煮つまり、吹き零れ慌てて鍋蓋を外した際おき場所に困り、鍋蓋に触れ手首、腕に火傷を負い湯気汁が四方に飛び散らした問題に直面した。
本発明は、この課題を解消する為になされたものである。
【課題を解決するための手段】
【０００５】鍋豚収納台３と３（入口）間を６ｃｍ以上広げたことにより、楽に収納できた。また鍋蓋台２鍋蓋つまみ止にし、４凸凹山をもたせる事により、鍋蓋が安全に収納しやすく、湯気汁を飛ばさず鍋蓋が手首や腕に触れることなく収納できた。
３斜面、角度３０度  ５斜面角度６０度（目安）設定したことで、本体全体が安定して固定できた。
【発明の効果】
【０００６】料理の際  鍋蓋類を置き場所に困る事なく鍋蓋収納台へ安全に収納できた。
【図面の簡単な説明】
【０００７】
【図１】本発明の平面図である。
【図２】本発明の側面図である。
【発明を実施するための形態】
【０００８】以下、本発明の実施の形態について説明する。
〔イ〕鍋蓋収納台３と３入口間を６ｃｍ〜７ｃｍに（目安）に設置する。
〔ロ〕鍋蓋を安全、安定の為４凸凹山（くぼみ）を設ける。
〔ハ〕３斜面角度３０度５斜面角度６０度（目安）設定する。
〔ニ〕２鍋蓋つまみ止めを設置する。
【符号説明】
【０００９】１  鍋蓋収納台本体
２  鍋蓋つまみ止め
３  鍋蓋収納台入り口突端
４  凸凹山（くぼみ）
５  鍋蓋収納柱
６  鍋蓋収納土台
【図１】
2013150761.tif 000003
【図２】
2013150761.tif 000004
(57)【要約】      （修正有）【課題】水中メガネが本来持っている防水構造を損ねる事無く使用者が普段着用している眼鏡と同時に水中メガネを使用出来るようにする水中メガネの提供。【解決手段】水中メガネのフレーム部分１の両端にゴムやラバー等の伸縮性と防水性を持つ素材で出来たサック状の袋４を取り付け、眼鏡のテンプル部をサック状の袋４の内部に収納出来るようにした。【選択図】図３
2013150824.tif 000002
【特許請求の範囲】
【請求項１】
使用者が着用している任意の眼鏡をフレーム部分に取り付ける事が出来る為、眼鏡と同時に使用する事が出来る水中メガネ。
【請求項２】
フレーム部分の両端に伸縮性、防水性のあるサック状の袋を設け眼鏡のテンプル部を収納する為、眼鏡のテンプル部が外部に露出されず、本来の水中メガネの持つ防水構造を損なうことが無い請求項１に記載の水中メガネ。
【請求項３】
フレーム部分とレンズ部分が着脱可能で、眼鏡をフレーム部分に取り付ける際にレンズ部分を外し、眼鏡を取り付けた後にレンズ部分を取り付ける事が出来る請求項１と請求項２に記載の水中メガネ。
【発明の詳細な説明】
【技術分野】
【０００１】
本発明は眼鏡と同時に装着する事が出来る水中メガネに属する
【背景技術】
【０００２】
従来の技術では既に市販されている水中メガネのレンズ部分自体を度の入ったレンズに交換する物や、眼鏡を着用したまま装着出来る水中メガネも考案されているが、前記の物はその使用者個々の視力に合わせたレンズを作成しなければならないので高額になってしまい、後記文献（特許文献１参考）では使用者の所有する個々の眼鏡を掛けたまま装着出来るが、眼鏡のテンプル部分は太い物、細い物、断面が様々な形状の物が多く、また耳介前のこめかみ部には毛髪が生えている為、ゲル状の防水体での防水は困難である。
【先行技術文献】
【特許文献】
【０００３】
【特許文献１】特開２００９−１９３
【発明の概要】
【発明が解決しようとする課題】
【０００４】
前記問題を解決する為の本発明の課題は、利用者が普段着用している眼鏡をそのまま取り付けることが出来て、更に眼鏡と同時に着用しても本来水中メガネの持つ防水構造を損なわないようにする事である。
【課題を解決するための手段】
【０００５】
前記課題を解決する為の手段として本発明は、水中メガネのフレーム部分の両端に開口部を設け、ゴム、ラバー等の伸縮性と防水性のあるサック状の袋をフレームとの接合部に隙間が生じないように取り付け、眼鏡のテンプル部分をそれぞれのサック状の袋に挿入する。
【０００６】
眼鏡のテンプル部分をサック状の袋に挿入する事を可能にする為に水中メガネのレンズ部分とフレーム部分は着脱が出来る様にし、眼鏡をフレーム部分に固定した後にレンズ部分をフレーム部分に取り付けて装着する。
【０００７】
本発明は上記構造で構成されている為、眼鏡のテンプル部分は水中メガネの外部に露出されることはない。従って眼鏡のテンプル部分からの水漏れは無いので、本来水中メガネが持つ防水構造を損ねることが無く利用者の所有する個々の眼鏡と同時に装着する事が出来る。
【発明の効果】
【０００８】
本発明により利用者が普段の生活で使い慣れた眼鏡を水中でも使用する事が可能となる。
【図面の簡単な説明】
【０００９】
【図１】図１は本発明品に眼鏡を取り付け後の全体の斜視図である。
【図２】図２は（c）本発明品の全体の斜視図及び（c’）Ｃ〜Ｃ’間の断面図である。
【図３】図３は（a）本発明品のフレーム部分の斜視図及び（a'）Ａ〜Ａ’間の断面図である。
【図４】図４は（b）本発明品のバンド部分を含むレンズ部分の斜視図（b）Ｂ〜Ｂ’間の断面図である。
【図５】図５は本発明品を装着した状態を表す側面図である。
【発明を実施するための形態】
【００１０】
本発明を実施する為の形態を図を用いて説明する。本発明の水中メガネはゴムやラバー等の伸縮性と防水性のある物を素材とするフレーム部分（１）とレンズ部分（２）から構成される。（図２、図３、図４参照）
【００１１】
フレーム部分（１）の両端には開口部（３）が設けてあり、それぞれの開口部（３）にはゴム、ラバー等の伸縮性、防水性のある物を素材とするサック状の袋（４）がフレーム部分（１）との隙間が生じないように取り付けられている。このサック状の袋（４）は眼鏡をフレーム部分（１）に取り付ける際に眼鏡のテンプル部分を収納する場所なので、太目のテンプルや特殊形状のテンプルを持つ眼鏡等、様々なテンプルに対応出来る様に大き目の物が好ましい。
【００１２】
眼鏡をフレーム部分（１）に取り付ける事を可能にする為には取り付け時にフレーム部分（１）からレンズ部分（２）を取り外した状態で行う。最初に眼鏡のテンプル部分をフレーム部分（１）に設けられたサック状の袋（４）にそれぞれ収納して眼鏡を取り付ける。
【００１３】
次に眼鏡が取り付けられたフレーム部分（１）にレンズ部分（２）を取り付けるが、この際にフレーム部分（１）とレンズ部分（２）の接合部分（７）、（８）から水が漏れて入らないようにフレーム部分（１）側の縁（７）に凸を設け（図３（a'）参照）、レンズ部分（２）側の縁（８）には（７）が隙間無くはめ込めるように溝を設けて（図４（b’）参照）フレーム部分（１）にレンズ部分（２）をはめ込み（図１、図２（c’）参照）装着する。（図５参照）
【符号の説明】
【００１４】
1  フレーム部分
２  レンズ部分
３  開口部
４  サック状テンプル収納袋
５  装着バンド
６  鼻覆い部
７  フレーム部分縁部
８  レンズ部分縁部
９  後方周縁部  
【図１】
2013150824.tif 000003
【図２】
2013150824.tif 000004
【図３】
2013150824.tif 000005
【図４】
2013150824.tif 000006
【図５】
2013150824.tif 000007